(57)【特許請求の範囲】
【請求項１】
基材、
前記基材の幅方向の一端側において前記基材から延びるように形成される可撓性を有する一対の帯状片、
前記基材の幅方向の他端側においてヒンジ部を介して形成される挟持部材、
前記ヒンジ部を屈曲させて前記基材と前記挟持部材とを対向させた状態で前記帯状片を嵌め込むために前記挟持部材に形成される切欠部、
前記切欠部に嵌め込んだ前記帯状片を前記挟持部材に係止するための係止手段、および
前記基材の幅方向の他端側の前記ヒンジ部が形成されていない部分において折曲部を介して形成され、ファイル表紙に固定するために用いられる固定部材を含み、
前記ヒンジ部は、前記帯状片の根元部分に対向しない位置に形成されることを特徴とする、綴り具。
【請求項２】
前記ヒンジ部は、前記基材の長手方向に対して、一対の前記帯状片の根元部分の内側または外側に対応した位置に形成された、請求項１に記載の綴り具。
【発明の詳細な説明】
【０００１】
【発明の属する技術分野】
この発明は、綴り具に関し、特に、たとえば書類などを基材と挟持部材とで挟持し、書類などに形成された綴じ孔に帯状片を通して書類などを保持するための綴り具に関する。
【０００２】
【従来の技術】
図１２は従来の綴り具の一例を示す斜視図であり、図１３はその平面図である。綴り具１０は、基材１２を含む。基材１２の幅方向の一端側において、基材１２から延びるようにして、一対の帯状片１４が形成される。これらの帯状片１４は、基材１２の長手方向に間隔を隔てて形成される。帯状片１４の一方面側には、長手方向に沿って凹条部１６が形成される。
【０００３】
基材１２の幅方向の他端側には、ヒンジ部１８が形成される。このヒンジ部１８には、折曲部２０が形成される。さらに、ヒンジ部１８に連続して挟持部材２２が形成され、基材１２と挟持部材２２とがヒンジ部１８を介して連結される。したがって、ヒンジ部１８が折曲部２０で折り曲げられることにより、挟持部材２２と基材１２の互いの面が対向するように配置される。このとき、帯状片１４に対応する位置において、挟持部材２２に切欠部２４が形成される。さらに、挟持部材２２には、切欠部２４に帯状片１４を嵌め込んだ状態で帯状片１４の凹条部１６に嵌め合わされる凸条部２８が形成される。
【０００４】
この綴り具１０においては、図１２に示すように、基材１２がファイル表紙Ｈに固着される。そして、二点鎖線で示される書類Ｐに形成された綴じ孔に帯状片１４が挿通される。さらに、ヒンジ部１８を屈曲させることによって、挟持部材２２が書類Ｐの上に配置され、切欠部２４に帯状片１４が嵌め込まれる。そして、帯状片１４を折り曲げ、凹条部１６と凸条部２８とを嵌め合わせることにより、書類Ｐが綴り具１０に保持される（例えば、特許文献１参照）。
【０００５】
【特許文献１】
特許第２８１４３６９号公報
【０００６】
【発明が解決しようとする課題】
しかしながら、このような綴り具では、基材がファイル表紙に固着されているため、基材が固着されたファイル表紙側に記載された書類の内容を見ることが困難である。特に、書類の枚数が多い場合、書類を折り返して閲覧することが困難である。また、書類の枚数が少ない場合であっても、綴り具の基材がファイル表紙に固着されているため、書類を折り返して閲覧する必要があり、その場合、書類に折り目ができてしまい、折り目から書類が破れやすくなるという問題がある。
【０００７】
それゆえに、この発明の主たる目的は、保持した書類に折り目が形成されることなく書類を起こすことができ、全ての書類について閲覧性の良好な綴り具を提供することである。
【０００８】
【課題を解決するための手段】
この発明は、基材と、基材の幅方向の一端側において基材から延びるように形成される可撓性を有する一対の帯状片と、基材の幅方向の他端側においてヒンジ部を介して形成される挟持部材と、ヒンジ部を屈曲させて基材と挟持部材とを対向させた状態で帯状片を嵌め込むために挟持部材に形成される切欠部と、切欠部に嵌め込んだ帯状片を挟持部材に係止するための係止手段と、基材の幅方向の他端側のヒンジ部が形成されていない部分において折曲部を介して形成され、ファイル表紙に固定するために用いられる固定部材とを含み、ヒンジ部は、帯状片の根元部分に対向しない位置に形成されることを特徴とする、綴り具である。
このような綴り具において、ヒンジ部は、基材の長手方向に対して、一対の帯状片の根元部分の内側または外側に対応した位置に形成されることが好ましい。
【０００９】
基材と挟持片とで書類などを挟持し、書類に形成された綴じ孔に帯状片を挿通して挟持部材の切欠部に嵌め込み、係止手段で帯状片を挟持部材に係止することにより、書類などが綴り具に保持される。このとき、折曲部を介して基材に連続するように固定部材が形成され、この固定部材がファイル表紙に固定されるため、基材はファイル表紙に固着されていない状態となる。したがって、基材は、固定部材に対して折曲部において折り曲げ可能となり、書類を挟持する基材と挟持部材とをファイル表紙から起こすことができる。
基材と挟持部材とをファイル表紙から起こすとき、ヒンジ部がファイル表紙に当たると、ヒンジ部が挟持部材の向きに押される。このとき、ヒンジ部と帯状片の根元部分とが対向する位置に形成されていないため、帯状片で連結されていない部分において、挟持部材がヒンジ部で押される。そのため、ヒンジ部で押された挟持部材が変形可能となり、ヒンジ部の突っ張りを緩和することができる。
このようなヒンジ部の形成位置として、基材の長手方向に対して、一対の帯状片の根元部分の内側または外側に対応した位置に形成することができる。
【００１０】
この発明の上述の目的，その他の目的，特徴および利点は、図面を参照して行う以下の発明の実施の形態の詳細な説明から一層明らかとなろう。
【００１１】
【発明の実施の形態】
図１はこの発明の綴り具の一例の一方面側を示す平面図であり、図２は他方面側を示す平面図である。綴り具５０は、可撓性および弾力性を有するポリプロピレンなどの合成樹脂で一体的に形成される。綴り具５０は、細長いシート状の基材５２を含む。基材５２の幅方向の一端側には、一対の細長い帯状片５４が形成される。これらの帯状片５４は、基材５２の長手方向の両側に延びるように形成される。
【００１２】
帯状片５４は、図３に示すように、その根元部から基材５２の一方面上に向かって形成され、途中で曲がって、基材５２の一方面と略平行に延びるように略Ｌ字状に形成される。略Ｌ字状の帯状片５４の内側の面には、図４に示すように、後述の挟持部材と帯状片５４とを係止するための係止手段を構成する凹条部５６が形成される。凹条部５６は、帯状片５４の長手方向に延びるように形成される。
【００１３】
基材５２の幅方向の他端側には、薄肉状の折曲部５８を介して、３つの固定部材６０ａ，６０ｂ，６０ｃが形成される。固定部材６０ａ，６０ｂは、基材５２の長手方向の両側に形成され、固定部材６０ｃはその中間部に形成される。固定部材６０ａ，６０ｂと基材５２との間に形成される折曲部５８は、固定部材６０ａ，６０ｂの長手方向の両端側に形成され、これらの折曲部５８を連結するようにして、基材５２側に半円形の打ち抜き部６２が形成される。さらに、固定部材６０ａ，６０ｂには、半円形の打ち抜き部６２の中心部に、リベットなどを通すための固定用孔６４が形成される。このように、半円形の打ち抜き部６２が形成されることにより、固定部材６０ａ，６０ｂ，６０ｃをファイル表紙に固定したときに、折曲部５８で基材５２を折り曲げることができる。
【００１４】
固定部材６０ａと固定部材６０ｃとの間、および固定部材６０ｂと固定部材６０ｃとの間には、それぞれヒンジ部６６が形成される。ヒンジ部６６は、帯状片５４の根元部分に対向しない位置に形成される。この例では、基材５２の長手方向に対して、一対の帯状片５４の根元部分の内側部分に対応して、ヒンジ部６６が形成される。さらに、ヒンジ部６６に連続して、細長い形状の挟持部材６８が形成される。ヒンジ部６６には、基材５２側、挟持部材６８側、およびその中間部に、薄肉状の折曲部７０が形成される。
【００１５】
挟持部材６８の幅方向におけるヒンジ部６６と反対側の端部には、一対の凸条部７２が形成される。これらの凸条部７２は、挟持部材６８の長手方向の両側に形成される。凸条部７２は、帯状片５４の凹条部５６に対応する位置において、凹条部５６と同じ向きに延びるように形成される。これらの凹条部５６と凸条部７２とで、挟持部材６８と帯状片５４とを係止するための係止手段が構成される。
【００１６】
凸条部７２の近傍において、挟持部材６８に切欠部７４が形成される。切欠部７４は、挟持部材６８の内側部分においてはコ字状に形成され、さらに内側から外側に向かって広がるように形成される。切欠部７４は、特に、凸条部７２側に向かって大きく広がるように形成される。また、２つの切欠部７４の間において、挟持部材６８の他方面上に窪み部７６が形成される。この窪み部７６は、挟持部材６８の長手方向に延びるように形成される。
【００１７】
この綴り具５０は、図５に示すように、ファイル表紙Ｈの内側に取り付けられる。このとき、固定部材６０ａ，６０ｂ，６０ｃが、溶着などによってファイル表紙Ｈに固着される。なお、固定部材６０ａ，６０ｂに形成された固定用孔６４にリベットなどを通すことにより、綴り具５０をファイル表紙Ｈに固定してもよい。なお、基材５２および挟持部材６８は、その他方面側がファイル表紙Ｈ側となるように固定される。
【００１８】
この綴り具５０を用いて書類などを綴じる場合、二点鎖線で示す書類Ｐに綴じ孔が形成される。この綴じ孔に帯状片５４が挿通され、図６に示すように、ヒンジ部６６が屈曲させられる。そして、図７に示すように、挟持部材６８と基材５２とで書類Ｐが挟持され、帯状片５４が挟持部材６８の切欠部７４に嵌め込まれる。このとき、切欠部７４は、外側に向かって広がるように形成されているため、帯状片６８が切欠部７４に滑り込みやすい。
【００１９】
さらに、帯状片５４を挟持部材６８側に押し付けることにより、帯状片５４に形成された凹条部５６と挟持部材６８に形成された凸条部７２とが嵌め合わされ、帯状片５４が挟持部材６８に係合される。
【００２０】
このようにして、書類Ｐが綴り具５０によって保持される。この綴り具５０では、固定部材６０ａ，６０ｂ，６０ｃがファイル表紙Ｈに固定され、基材５２がファイル表紙Ｈに固定されていないため、折曲部５８で折り曲げることにより、基材５２をファイル表紙Ｈから起き上がらせることができる。
【００２１】
基材５２を起こすとき、ヒンジ部６６がファイル表紙Ｈに当たると、挟持部材６８がヒンジ部材６６に押される。このとき、帯状片５４の根元部分とヒンジ部６６とが対向した位置に形成されていると、図８に示すように、帯状片５４に結合された挟持部材６８とファイル表紙Ｈとの間でヒンジ部６６が突っ張って、基材５２および挟持部材６８をそれ以上起こすことが困難である。
【００２２】
それに対して、この綴り具５０では、帯状片５４の根元部分とヒンジ部６６とが対向した位置に形成されていないため、図９の矢印に示すように、ヒンジ部６６に押された挟持部材６８が変位可能である。このような挟持部材６８の変位により、図１０に示すように、挟持部材６８が、中央部において上側に突出するように湾曲する。このような挟持部材６８の湾曲によって生じる反発力により、基材５２をファイル表紙Ｈ側に押し戻すような力が働く。しかしながら、挟持部材６８の湾曲による反発力は、図８に示すヒンジ部６６の突っ張りによる力よりも小さく、基材５２をファイル表紙Ｈ側に押し戻す力は小さい。したがって、小さい力で基材５２をファィル表紙Ｈから起こすことができる。
【００２３】
このように、書類Ｐを保持する基材５２と挟持部材６８とを小さい力で起こすことができるため、書類Ｐの基材５２側に記載された内容を容易に見ることができ、閲覧性の良好な綴り具５０を得ることができる。また、基材５２および挟持部材６８を起こすことができるため、書類に折り目などをつけることなく、基材５２側の記載を見ることができる。したがって、書類に傷がつくことを防止することができる。
【００２４】
なお、帯状片５４の根元部分とヒンジ部６６との関係については、基材５２の長手方向に対して、ヒンジ部６６が一対の帯状片５４の外側に対応した位置に配置されてもよい。このような綴り具５０では、図１１に示すように、２つのヒンジ部６６の間に、固定部材６０が形成される。この場合、基材５２を起こしてヒンジ部６６がファイル表紙Ｈに当たると、挟持部材６８は、中央部において基材５２側に湾曲する。この場合においても、図８に示すヒンジ部６６の突っ張り力に比べて、基材５２をファイル表紙Ｈ側に押し戻す力は弱く、容易に基材５２を起こすことができる。したがって、綴り具５０に保持された書類Ｐの閲覧性が良好である。
【００２５】
【発明の効果】
この発明によれば、綴り具の基材および挟持部材をファイル表紙側から起こすことができるため、綴り具に保持された書類の閲覧性を良好にすることができる。しかも、基材および挟持部材がファイル表紙から起き上がるため、書類が折れ曲がったりせず、書類が破損しにくくなる。
【図面の簡単な説明】
【図１】この発明の綴り具の一例の一方面側を示す平面図である。
【図２】図１に示す綴り具の他方面側を示す平面図である。
【図３】図１の左側から綴り具をみた図である。
【図４】図１の上側から綴り具をみた図である。
【図５】図１に示す綴り具をファイル表紙に取り付けた状態を示す斜視図である。
【図６】図５に示す綴り具で書類を綴じるときの動きを示す斜視図である。
【図７】図５に示す綴り具で書類を綴じたときの様子を示す斜視図である。
【図８】帯状片の根元部分とヒンジ部とが対向した位置に形成されている場合において、書類を保持した綴り具の基材を起こすときの様子を示す図解図である。
【図９】この発明の綴り具で書類を保持したときに、基材を起こすときの様子を示す図解図である。
【図１０】図９に示す綴り具の全体の様子を示す斜視図である。
【図１１】帯状片の根元部分とヒンジ部との位置関係を変えたときに、綴り具を起こすときの様子を示す斜視図である。
【図１２】従来の綴り具の一例を示す斜視図である。
【図１３】図１２に示す従来の綴り具の平面図である。
【符号の説明】
５０  綴り具
５２  基材
５４  帯状片
５６  凹条部
５８  折曲部
６０，６０ａ，６０ｂ，６０ｃ  固定部材
６６  ヒンジ部
６８  挟持部材
７０  折曲部
７２  凸条部
７４  切欠部
【図１】
0003670264.tif 000002
【図２】
0003670264.tif 000003
【図３】
0003670264.tif 000004
【図４】
0003670264.tif 000005
【図５】
0003670264.tif 000006
【図６】
0003670264.tif 000007
【図７】
0003670264.tif 000008
【図８】
0003670264.tif 000009
【図９】
0003670264.tif 000010
【図１０】
0003670264.tif 000011
【図１１】
0003670264.tif 000012
【図１２】
0003670264.tif 000013
【図１３】
0003670264.tif 000014